(57)【特許請求の範囲】
【請求項１】
商品または商品群ごとに予め定められた用紙に商品または商品群についての情報を印字してＰＯＰを作成する印字システムであって、該印字システムは、
前記ＰＯＰに印字する予定の印字情報を入力するキー入力装置と、
前記入力された印字情報を記憶すると共に、１枚のＰＯＰに印字される前記印字情報の集合ごとに付された少なくとも名称を含む標題を記憶する記憶装置と、
記憶した印字情報および標題を表示する表示装置と、
記憶した印字情報を印字する印字装置とを備え、
前記記憶装置は、前記キー入力装置から入力されて未だ印字されていない未印字の印字情報を１枚のＰＯＰごとにファイルとして記憶すると共に、各未印字の印字情報の標題を記憶する未印字フォルダと、前記キー入力装置から入力された後に印字された既印字の印字情報を１枚のＰＯＰごとにファイルとして記憶すると共に、各既印字の印字情報の標題を記憶する既印字フォルダとを備え、
前記印字情報を印字するのに伴って当該印字情報を、前記既印字フォルダに記憶させると共に前記未印字フォルダから消去する演算装置を設け、
前記未印字フォルダに記憶された未印字の印字情報の標題のうちの少なくとも名称と、前記既印字フォルダに記憶された既印字の印字情報の標題のうち少なくとも名称とを別画面に表示、あるいは、別領域に各々集合させて表示することで、未印字の印字情報と既印字の印字情報とを識別できるようにした印字システム。
【発明の詳細な説明】
【０００１】
【発明の属する技術分野】
本発明は、いわゆるＰＯＰの印字システムに関するものである。
【０００２】
【従来の技術】
スーパーマーケットなどの店内には、図７に示す「ＰＯＰ」と呼ばれる紙製の表示が、商品の陳列棚に貼付等されている場合が多い。かかるＰＯＰは、ＳＡＬＥ等の期間や日時ごとに貼り替えられるので、規模の大きい店舗では、店舗ごとに印字して作成する。ＰＯＰは、予め大きな文字１が印刷された黄色地や白地等の用紙に、商品や商品群ごとに、品名等や価格等のＰＯＰ情報２を印字して作成される。
【０００３】
かかるＰＯＰは、以下の手順で作成される。
まず、各商品部門の担当者がＰＯＰの依頼書をＰＯＰオペレータ（ＰＯＰ作成者）に渡す。オペレータ（ＰＯＰ作成者）は、各依頼書に従って、印字する予定のＰＯＰ情報２に対応したデータを入力する。この入力された入力データは、メモリに記憶される。入力が終わったら、所定の用紙をカセットにセットし、該用紙について印字し、順次用紙の種類を替えて印字する。つまり、ＰＯＰは、図７（ａ）〜（ｃ）に示す用紙の種類ごとに印字される。たとえば、図８の「カットバナナ」については１回目に用紙（ａ）に印字し、「マツタケ」および「スープ類」については２回目に用紙（ｂ）に印字し、「牛肉全品」および「シーチキン」については３回目に用紙（ｃ）に印字する。
【０００４】
【発明が解決しようとする課題】
このようにＰＯＰは、膨大な種類のＰＯＰ情報を、種々の用紙に印字して作成されるので、次のような問題が発生する。たとえば、３回目の印字を行う場合に、既に印字したデータと未印字のデータとの識別ができず、既印字のデータを再度印字するおそれがある。また、印字を行った後に、作成されたＰＯＰに誤記（誤植）があることを発見し、入力データを修正したい場合には、全データNo. の中から当該データを検索する必要があるので、探し出すのに時間がかかる。
【０００５】
本発明は前記従来の問題に鑑みてなされたもので、その目的は、既印字のデータを早く探し出すことができ、また、既印字のデータを再度印字してしまったりするおそれがない印字システムを提供することである。
【０００６】
【課題を解決するための手段】
前記目的を達成するために、本発明の印字システムは商品または商品群ごとに予め定められた用紙に商品または商品群についての情報を印字してＰＯＰを作成する印字システムであって、該印字システムは、前記ＰＯＰに印字する予定の印字情報を入力するキー入力装置と、前記入力された印字情報を記憶すると共に、１枚のＰＯＰに印字される前記印字情報の集合ごとに付された少なくとも名称を含む標題を記憶する記憶装置と、記憶した印字情報および標題を表示する表示装置と、記憶した印字情報を印字する印字装置とを備え、前記記憶装置は、前記キー入力装置から入力されて未だ印字されていない未印字の印字情報を１枚のＰＯＰごとにファイルとして記憶すると共に、各未印字の印字情報の標題を記憶する未印字フォルダと、前記キー入力装置から入力された後に印字された既印字の印字情報を１枚のＰＯＰごとにファイルとして記憶すると共に、各既印字の印字情報の標題を記憶する既印字フォルダとを備え、前記印字情報を印字するのに伴って当該印字情報を、前記既印字フォルダに記憶させると共に前記未印字フォルダから消去する演算装置を設け、前記未印字フォルダに記憶された未印字の印字情報の標題のうちの少なくとも名称と、前記既印字フォルダに記憶された既印字の印字情報の標題のうち少なくとも名称とを別画面に表示、あるいは、別領域に各々集合させて表示することで、未印字の印字情報と既印字の印字情報とを識別できるようにしたことを特徴とする。
【０００７】
本発明の印字システムにおいて、印字を順次行う場合は、未印字の印字情報からデータを探し、一方、誤記等があったため再印字したい場合は、既印字の印字情報からデータを探す。
【０００８】
なお、「標題」とは、文書名、商品名の他、データＮｏ．（文書番号）などタイトルとして認識し得るもの全てを含む。
【０００９】
【発明の実施の形態】
以下、本発明の一実施形態を図面にしたがって説明する。
図１において、本印字システムは、プリンタ（印字装置）２０、表示装置３０、キー入力装置４０が、図示しないインターフェイスを介して、マイコン１０に接続されている。
【００１０】
前記キー入力装置４０は、記憶して印字する予定の印字情報（入力データ）および標題などを入力するためのものである。前記表示装置３０は、前記印字情報および標題を表示するものである。なお、本実施形態では、標題は、図７の１枚のＰＯＰに印字される印字情報の集合（ファイル）ごとに付され、図２のデータNo. およびデータ名として表示される。
【００１１】
図１の前記マイコン１０は、ＣＰＵ１１およびメモリ１２を備えている。前記ＣＰＵ１１は制御装置１３および演算装置１４を備えており、一方、前記メモリ１２は未印字フォルダＦｖ、既印字フォルダＦｍおよびスプールＳｐなどの記憶部分（ファイル）を備えている。
【００１２】
前記未印字フォルダＦｖは、キー入力装置４０から入力されて未だ印字されていない未印字の印字情報（入力データ）を１枚のＰＯＰごとにファイルとして記憶すると共に、各未印字の印字情報の標題を記憶する。一方、前記既印字フォルダＦｍは、キー入力装置４０から入力された後に印字された既印字の印字情報を１枚のＰＯＰごとにファイルとして記憶すると共に、各既印字の印字情報の標題を記憶する。前記演算装置１４は、キー入力装置４０から入力されて、両フォルダＦｖ，Ｆｍに記憶された保存データからなる印字情報を、図７に示すイメージとして印字できる状態に変換（編集）して該変換した印字用データをスプールＳｐに記憶させる。
【００１３】
図１において、前記プリンタ２０は、印字部２１、印字制御部２２および印字用データ記憶部２３を備えている。前記印字用データ記憶部２３には前記スプールＳｐに記憶された印字用データが転送される。前記印字制御部２２は該印字用データを読み出して、該印字用データに従って印字部２１を駆動制御して、印字部２１に印字を行わせる。
【００１４】
前記演算装置１４は、たとえば、印字用データがスプールＳｐからプリンタ２０の印字用データ記憶部２３に転送された際に、当該印字情報が印字されたものと見做し、未印字フォルダＦｖの当該印字情報に対応する保存データを既印字フォルダＦｍに記憶させた後、未印字フォルダＦｖの当該保存データを消去する。今、図２（ａ）に示すデータNo. およびデータ名（標題）の印字情報（保存データ）が未印字フォルダＦｖに記憶され、既印字フォルダＦｍには何らデータが記憶されていないとする。この状態で、図２（ａ）の未印字フォルダＦｖからデータNo. １の「カットバナナ」を選択して印字を行うと、図２（ｂ）に示すように、既印字フォルダＦｍに「カットバナナ」についての入力データが記憶されると共に、未印字フォルダＦｖの「カットバナナ」についての入力データが消去される。
【００１５】
前記制御装置１３（図１）は、たとえば前記未印字フォルダＦｖおよび既印字フォルダＦｍの一方が選択されることで、表示装置３０（図１）の１つの画面上に、未印字フォルダＦｖまたは既印字フォルダＦｍの標題の一方を表示させる。すなわち、表示装置３０（図１）には、未印字フォルダＦｖまたは既印字フォルダＦｍごとに、その標題が並べて画面上に表示される。したがって、オペレータ（ＰＯＰ作成者）は、未印字と既印字の印字情報を識別することができる。
【００１６】
つぎに、ＣＰＵ１１の動作を図３のフローチャートにしたがって説明する。
まず、所定のキー処理によって印字モードに設定され、ステップＳ１でデータNo. が選択されると、ステップＳ２で、入力データが印字用データに変換され、ステップＳ３で、スプールＳｐに印字用データが記憶される。つづいて、ステップＳ４に進み、プリンタ２０に印字用データが転送された後、ステップＳ５で、当該印字情報の保存データが既印字フォルダＦｍに保存（記憶）されると共に、未印字フォルダＦｖから消去される。
【００１７】
こうして一度印字した印字情報の標題は、図２（ｂ）に示すように、未印字のものとは別の画面に表示されるから、オペレータは未印字のものと既印字のものとを識別することができる。そのため、図８の２回目の印字、つまり、「マツタケ」、「スープ類」についての印字を行う場合には、図２（ｂ）の印字後の未印字フォルダＦｖの標題の表示からデータNo. を選択することで、重複印字を防止することができる。また、全ての印刷が終了した後に、図２（ｂ）の印字後の未印字フォルダＦｖが空になっていることを確認すれば、入力したが印字していない印字情報の発生するおそれもない。
【００１８】
一方、一度印字したＰＯＰに間違いがあったり、変更を加えたい場合や、あるいは、印字枚数を増やしたい場合には、図２（ｂ）の既印字フォルダＦｍの標題の表示からデータNo. を選択することで、該選択を短時間で行うことができる。したがって、作業効率が向上する。
【００１９】
ところで、前記実施形態では、図２（ａ），（ｂ）のように、未印字フォルダＦｖおよび既印字フォルダＦｍごとに別々の画面に表示して、未印字か既印字かを識別できるようにしたが、本発明では、１つの画面に未印字および既印字の標題を表示する領域を分けて設けることで、識別できるようにしてもよい。すなわち、図４（ａ），（ｂ）に示すように、同一の表示画面内に、未印字および既印字の印字情報を領域を別けて各々集合させて表示させてもよい。
【００２０】
フォルダを分けない場合には、本発明に含まれない図５（ａ），（ｂ）のように、既印字のものに「既印」の文字からなる「印」や、本発明に含まれない図６（ａ），（ｂ）のように印字回数を示す数値を表示させる。
【００２１】
なお、「印」としては、前述の「既印」の文字や印字回数の他に、「既」、「※」などの文字や記号の他にアイコンを表示してもよいし、さらには、印字した順序を示す数字を表示してもよい。また、未印字の標題に「印」を付してもよいし、未印字および既印字の標題に互いに異なる「印」を付してもよい。
【００２２】
また、前記実施形態では、図１のメモリ１２のスプールＳｐからプリンタ２０の印字用データ記憶部２３に印字用データを転送した段階で印字したと見做したが、本発明では、「印字するのに伴って」印字したと認識すればよい。つまり、スプールＳｐに印字用データを記憶させた時点や、プリンタ２０の印字制御部２２が実際に印字させた段階で印字したと見做して、未印字と既印字とを区別して識別できるようにしてもよい。
【００２３】
【発明の効果】
以上説明したように、本発明によれば、表示装置の表示を見て、未印字の印字情報と既印字の印字情報とを識別することができるので、誤記があった場合には既印字の印字情報の中から当該誤記のあった印字情報の標題を探すことで、当該印字情報を短時間で探すことができ、一方、用紙の種類ごとに順次印字する場合には、未だ印字されていない未印字の印字情報の中から標題等を選択して印字できるから、無駄な重複印字を避けることができる。
【図面の簡単な説明】
【図１】本発明の印字システムの一実施形態を示す概略構成図である。
【図２】印字の前後におけるフォルダの記憶領域および表示画面の変化を示す図表である。
【図３】印字のフローチャートである。
【図４】表示装置の画面の変形例を示す図表である。
【図５】  本発明に含まれない表示装置の画面の例を示す図表である。
【図６】  本発明に含まれない表示装置の画面の例を示す図表である。
【図７】ＰＯＰの例を示す平面図である。
【図８】印字の手順を示す図表である。
【符号の説明】
１２：メモリ（記憶装置）
Ｆｖ：未印字フォルダ
Ｆｍ：既印字フォルダ
２０：プリンタ（印字装置）
３０：表示装置
４０：キー入力装置
【図１】
0003886617.tif 000002
【図２】
0003886617.tif 000003
【図３】
0003886617.tif 000004
【図４】
0003886617.tif 000005
【図５】
0003886617.tif 000006
【図６】
0003886617.tif 000007
【図７】
0003886617.tif 000008
【図８】
0003886617.tif 000009